【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
インクを吐出口から吐出するインクジェットヘッドチップと、
前記インクジェットヘッドチップに接着されたマニホールドとを有するインクジェットヘッドにおいて、
前記吐出口を下側とした場合に、
前記マニホールドの前記インクジェットヘッドチップ側の側面には、下端部が閉塞されるとともに上端部が開口した溝部が形成され、
この溝部には、接着剤が充填されていることを特徴とするインクジェットヘッド。
【請求項２】
請求項１記載のインクジェットヘッドにおいて、
前記溝部の少なくとも一方の側壁は、前記上端部から前記下端部に向かって前記溝部の幅を狭めるように、上下方向に対して傾斜して設けられ、
前記溝部は、前記一方の側壁と前記下端部とに沿って浅くなっていることを特徴とするインクジェットヘッド。
【請求項３】
請求項１または２記載のインクジェットヘッドにおいて、
前記溝部は、前記インクジェットヘッドチップとの間に未硬化の接着剤を貯留するための貯留部を前記上端部に有し、
この貯留部の容積は、前記溝部全体の容積の半分以上であることを特徴とするインクジェットヘッド。
【請求項４】
請求項１〜３の何れか一項に記載のインクジェットヘッドにおいて、
前記マニホールドは、前記インクジェットヘッドチップの２つ以上の面にそれぞれ接着されていることを特徴とするインクジェットヘッド。
【請求項５】
インクを吐出口から吐出するインクジェットヘッドチップと、
前記インクジェットヘッドチップに接着されたマニホールドとを有するインクジェットヘッドの製造方法において、
前記吐出口を下側とした場合に、
前記インクジェットヘッドチップ側の側面に、下端部が閉塞されるとともに上端部が開口した溝部が形成されたマニホールドを前記インクジェットヘッドチップに取り付けた状態で、
前記溝部に接着剤を充填することを特徴とするインクジェットヘッドの製造方法。
【請求項６】
請求項５記載のインクジェットヘッドの製造方法において、
前記マニホールドとして、
前記溝部の少なくとも一方の側壁が前記上端部から前記下端部に向かって前記溝部の幅を狭めるように、上下方向に対して傾斜して設けられ、
前記溝部が前記一方の側壁と前記下端部とに沿って浅くなっているものを用いることを特徴とするインクジェットヘッドの製造方法。
【請求項７】
請求項５または６記載のインクジェットヘッドの製造方法において、
前記マニホールドとして、
前記溝部が、前記インクジェットヘッドチップとの間に未硬化の接着剤を貯留するための貯留部を前記上端部に有し、
この貯留部の容積が前記溝部全体の容積の半分以上であるものを用いることを特徴とするインクジェットヘッドの製造方法。
【請求項８】
請求項５〜７の何れか一項に記載のインクジェットヘッドの製造方法において、
前記マニホールドを、前記インクジェットヘッドチップの２つ以上の面にそれぞれ取り付けた状態で、
各溝部に接着剤を充填することを特徴とするインクジェットヘッドの製造方法。
【手続補正２】
【補正対象書類名】明細書
【補正対象項目名】発明の名称
【補正方法】変更
【補正の内容】
【発明の名称】インクジェットヘッド及びインクジェットヘッドの製造方法
【手続補正３】
【補正対象書類名】明細書
【補正対象項目名】０００１
【補正方法】変更
【補正の内容】
【０００１】
本発明は、インクジェットプリンタに備えられるインクジェットヘッド及びインクジェットヘッドの製造方法に関する。
【手続補正４】
【補正対象書類名】明細書
【補正対象項目名】０００６
【補正方法】変更
【補正の内容】
【０００６】
本発明の課題は、容易に製造可能なインクジェットヘッド及びインクジェットヘッドの製造方法を提供することである。
【手続補正５】
【補正対象書類名】明細書
【補正対象項目名】００１４
【補正方法】変更
【補正の内容】
【００１４】
請求項４記載の発明によれば、インクジェットヘッドチップに対して複数のマニホールドを一度に接着することができるので、インクジェットヘッドチップの各面に順次マニホールドを接着する場合と比べ、インクジェットヘッドを容易に製造することができる。
請求項５記載の発明は、
インクを吐出口から吐出するインクジェットヘッドチップと、
前記インクジェットヘッドチップに接着されたマニホールドとを有するインクジェットヘッドの製造方法において、
前記吐出口を下側とした場合に、
前記インクジェットヘッドチップ側の側面に、下端部が閉塞されるとともに上端部が開口した溝部が形成されたマニホールドを前記インクジェットヘッドチップに取り付けた状態で、
前記溝部に接着剤を充填することを特徴とする。
請求項５記載の発明によれば、下端部が閉塞された溝部が形成されたマニホールドを用い、インクジェットヘッドチップにマニホールドを取り付けた状態で溝部に接着剤を充填することにより、溝部の内部に接着剤をとどめ、インクジェットヘッドチップとマニホールドとを接着することができる。従って、粘度の小さい接着剤や、硬化するまでに長い時間を要する接着剤を用いる場合にも余分な接着剤が流出してしまうことがないため、接着剤を塗布する従来の場合と比較して、容易に接着を行うことができる。
請求項６記載の発明は、請求項５記載のインクジェットヘッドの製造方法において、
前記マニホールドとして、
前記溝部の少なくとも一方の側壁が前記上端部から前記下端部に向かって前記溝部の幅を狭めるように、上下方向に対して傾斜して設けられ、
前記溝部が前記一方の側壁と前記下端部とに沿って浅くなっているものを用いることを特徴とする。
請求項６記載の発明によれば、上側から下側に向かって溝部の幅が狭くなるように側壁が上下方向に対して傾斜し、この側壁と溝部の下端部とに沿って溝部が浅くなっているマニホールドを用いるので、溝部に充填するために当該溝部に流し込まれる接着剤は、底の浅い部分に流入し、マニホールド及びインクジェットヘッドチップと確実に接触して硬化する。従って、強固に接着を行うことができる。
請求項７記載の発明は、請求項５または６記載のインクジェットヘッドの製造方法において、
前記マニホールドとして、
前記溝部が、前記インクジェットヘッドチップとの間に未硬化の接着剤を貯留するための貯留部を前記上端部に有し、
この貯留部の容積が前記溝部全体の容積の半分以上であるものを用いることを特徴とする。
請求項７記載の発明によれば、貯留部の容積が溝部全体の容積の半分以上であるマニホールドを用いるので、溝部に充填するために貯留部内に貯留された未硬化の接着剤は、貯留部を除いた溝部の全体に行き渡ることとなる。従って、インクジェットヘッドチップとマニホールドとを取り付けた後、貯留部内に未硬化の接着剤を貯留しておくことにより、接着を行うことができる、つまりいっそう容易に接着を行うことができる。
請求項８記載の発明は、請求項５〜７の何れか一項に記載のインクジェットヘッドの製造方法において、
前記マニホールドを、前記インクジェットヘッドチップの２つ以上の面にそれぞれ取り付けた状態で、
各溝部に接着剤を充填することを特徴とする。
請求項８記載の発明によれば、インクジェットヘッドチップに対して複数のマニホールドを一度に接着することができるので、インクジェットヘッドチップの各面に順次マニホールドを接着する場合と比べ、インクジェットヘッドを容易に製造することができる。
【手続補正６】
【補正対象書類名】明細書
【補正対象項目名】００１５
【補正方法】変更
【補正の内容】
【００１５】
請求項１，５記載の発明によれば、接着剤を塗布する従来の場合と比較して、容易に接着を行うことができる。
請求項２，６記載の発明によれば、請求項１，５記載の発明と同様の効果を得ることができるのは勿論のこと、強固に接着を行うことができる。
請求項３，７記載の発明によれば、請求項１または２，５または６記載の発明と同様の効果を得ることができるのは勿論のこと、いっそう容易に接着を行うことができる。
請求項４，８記載の発明によれば、請求項１〜３，５〜７の何れか一項に記載の発明と同様の効果を得ることができるのは勿論のこと、インクジェットヘッドを容易に製造することができる。